(57)【要約】【課題】便利な機能を有効に活用できるよう、操作者の習熟度を向上させることが可能な操作装置及びその表示制御方法を提供することを目的とする。【解決手段】複数の機能が選択可能な標準モードと標準モードで選択可能な機能から１以上を除外した機能が選択可能な簡単モードとのそれぞれで、選択された機能を処理する処理部と、処理部が出力する標準モード及び簡単モードに応じた表示画面を、表示部であるＬＣＤやモニタ装置へ出力する表示出力部とを備えたプリンタ装置であって、処理部は、簡単モードから標準モードへ状態遷移するときに、簡単モードでは除外された機能を紹介する機能紹介画面３３を、ＬＣＤやモニタ装置へ出力する。【選択図】図６
2008250814.tif 000002
【特許請求の範囲】
【請求項１】
複数の機能が選択可能な第１のモードと前記第１のモードで選択可能な機能の一部を選択可能とする第２のモードとを有し、前記第１のモードが選択された場合前記第１のモードで選択可能な機能を表示し、前記第２のモードが選択された場合前記第２のモードで選択可能な機能を表示する表示部と、
前記第２のモードから前記第１のモードに移行する場合、前記第１のモードを表示する前に、前記第２のモードでは表示されなかった機能を紹介する機能紹介画面を前記表示部に表示させる制御部と、を具備したことを特徴とする操作装置。
【請求項２】
前記制御部は、前記機能紹介画面を所定時間表示した後に、前記第１のモードで選択可能な機能を前記表示部に表示させることを特徴とする請求項１記載の操作装置。
【請求項３】
前記制御部は、異なる機能を紹介する機能紹介画面を順次前記表示部に表示させることを特徴とする請求項１記載の操作装置。
【請求項４】
前記制御部は、前記機能紹介画面によって紹介される機能を、予め定められた順序に基づいて紹介することを特徴とする請求項１記載の操作装置。
【請求項５】
前記制御部は、前記機能紹介画面によって紹介される機能を、ランダムに選択された順序に基づいて紹介することを特徴とする請求項１記載の操作装置。
【請求項６】
前記制御部は、前記機能紹介画面によって紹介される機能を、実行回数の少ない順序に基づいて紹介することを特徴とする請求項１記載の操作装置。
【請求項７】
前記制御部は、前記機能紹介画面によって紹介される機能を、記録部にセットされるペーパーカセットの種類に基づいて紹介することを特徴とする請求項１記載の操作装置。
【請求項８】
前記制御部は、前記機能紹介画面によって紹介される機能を、記録部にセットされるインクカセットの種類に基づいて紹介することを特徴とする請求項１記載の操作装置。
【請求項９】
前記制御部は、前記機能紹介画面によって紹介される機能に、前記機能に対応する画像を付加した画面を前記表示部に表示させることを特徴とする請求項１記載の操作装置。
【請求項１０】
前記制御部は、前記第１のモードで選択可能である機能であって、本装置に実装されていない機能を紹介する画面を前記表示部に表示させることを特徴とする請求項１記載の操作装置。
【請求項１１】
請求項１記載の操作装置と、外部機器から入力した画像を印刷する印刷部と、を具備したことを特徴とする記録装置。
【請求項１２】
複数の機能が選択可能な第１のモードと前記第１のモードで選択可能な機能の一部を選択可能とする第２のモードとを有し、
前記第１のモードが選択された場合前記第１のモードで選択可能な機能を表示し、前記第２のモードが選択された場合前記第２のモードで選択可能な機能を表示し、
前記第２のモードから前記第１のモードに移行する場合、前記第１のモードを表示する前に、前記第２のモードでは表示されなかった機能を紹介する機能紹介画面を表示させることを特徴とする操作装置の制御方法。
【発明の詳細な説明】
【技術分野】
【０００１】
本発明は、表示されたメニューを見ながら使いたい機能を選択する操作装置及びその制御方法に関する。
【背景技術】
【０００２】
操作者が、表示されたメニューを見ながら使いたい機能を選択する従来の操作装置として、（特許文献１）に記載されたものがある。この（特許文献１）に記載の通信装置は、多くの機能が操作できる多機能モードと、多機能モードより少ない機能で、かつ初心者にも容易に理解できるようにシンプルな画面構成とした簡単モードとを備えたファクシミリ装置が一例として記載されている。
【０００３】
このように、操作に不慣れな操作者は操作が容易な簡単モードで、複雑な機能を使いたい操作者は多機能モードで、それぞれ機能を選択することで、操作者のレベルに応じた機能を使用することができる。
【特許文献１】特開２００３−５１９０８号公報
【発明の開示】
【発明が解決しようとする課題】
【０００４】
操作に不慣れな操作者は、簡単モードの表示画面に基づいて操作していれば、ある程度使うことができても、それ以上のことは多機能モードで操作する必要がある。しかし、操作に不慣れな操作者は、多機能モードで様々な便利な機能が使えることが理解できても、多機能モードを使用することは敷居が高く、簡単モードで満足してしまいがちである。一回でも簡単モードにない新たな機能を使用してみれば、他の機能も使用してみたくなり、徐々に習熟度が向上して複雑な操作もこなせるようになるものである。
【０００５】
そこで、本発明は、便利な機能を有効に活用できるよう、操作者の習熟度を向上させることが可能な操作装置及びその制御方法を提供することを目的とする。
【課題を解決するための手段】
【０００６】
本発明の操作装置は、複数の機能が選択可能な第１のモードと前記第１のモードで選択可能な機能の一部を選択可能とする第２のモードとを有し、前記第１のモードが選択された場合前記第１のモードで選択可能な機能を表示し、前記第２のモードが選択された場合前記第２のモードで選択可能な機能を表示する表示部と、前記第２のモードから前記第１のモードに移行する場合、前記第１のモードを表示する前に、前記第２のモードでは表示されなかった機能を紹介する機能紹介画面を前記表示部に表示させる制御部と、を備えたことを特徴とする。
【０００７】
また、本発明の操作装置の制御方法は、複数の機能が選択可能な第１のモードと前記第１のモードで選択可能な機能の一部を選択可能とする第２のモードとを有し、前記第１のモードが選択された場合前記第１のモードで選択可能な機能を表示し、前記第２のモードが選択された場合前記第２のモードで選択可能な機能を表示し、前記第２のモードから前記第１のモードに移行する場合、前記第１のモードを表示する前に、前記第２のモードでは表示されなかった機能を紹介する機能紹介画面を表示させることを特徴とすることを特徴とする。
【発明の効果】
【０００８】
本発明によれば、第２モードにない機能を第１モードで選択して使用していくうちに、習熟度が向上して複雑な機能も使用することができるようになるので、便利な機能を有効に活用できるよう、操作者の習熟度を向上させることが可能である。
【発明を実施するための最良の形態】
【０００９】
本願の第１の発明は、複数の機能が選択可能な第１のモードと前記第１のモードで選択可能な機能の一部を選択可能とする第２のモードとを有し、前記第１のモードが選択された場合前記第１のモードで選択可能な機能を表示し、前記第２のモードが選択された場合前記第２のモードで選択可能な機能を表示する表示部と、前記第２のモードから前記第１のモードに移行する場合、前記第１のモードを表示する前に、前記第２のモードでは表示されなかった機能を紹介する機能紹介画面を前記表示部に表示させる制御部と、を備えたことを特徴とした操作装置である。
【００１０】
本発明の操作装置は、処理部が、第２モードから第１モードへ状態遷移するときに、第２モードでは除外された機能を紹介する機能紹介画面を、表示出力部へ出力するので、操作者に第２モードにはない機能を使用してみようかという気にさせることができる。従って、第２モードにない機能を第１モードで選択して使用していくうちに、習熟度が向上して複雑な機能も使用することができるようになる。
【００１１】
本願の第２の発明は、前記制御部は、前記機能紹介画面を所定時間表示した後に、前記第１のモードで選択可能な機能を前記表示部に表示させることを特徴としたものである。
【００１２】
本発明の操作装置は、機能紹介画面を表示するときに、所定時間の間のみ機能紹介画面を出力することで、操作者は煩わしい操作することなく第１モードへ状態遷移させることができる。
【００１３】
本願の第３の発明は、前記制御部は、異なる機能を紹介する機能紹介画面を順次前記表示部に表示させることを特徴としたものである。
【００１４】
本発明の操作装置は、機能紹介画面を表示するときに、前回とは異なる機能を紹介することで、幅広い機能を操作者に紹介することができるので、様々な機能を使用してみようとする意欲を湧かせることができる。
【００１５】
本願の第４の発明は、前記制御部は、前記機能紹介画面によって紹介される機能を、予め定められた順序に基づいて紹介することを特徴としたものである。
【００１６】
本発明の操作装置は、機能紹介画面を表示するときに、予め設定された順序に基づいて様々な機能を操作者に紹介することで、紹介可能な機能を漏れなく操作者に知って貰うことができる。ここで予め設定された順序とは、操作者によって設定メニューなどで設定されたものでもよいし、固定的に設定されたものでもよい。
【００１７】
本願の第５の発明は、前記制御部は、前記機能紹介画面によって紹介される機能を、ランダムに選択された順序に基づいて紹介することを特徴としたものである。
【００１８】
本発明の操作装置は、機能紹介画面を表示するときに、ランダムに選択された順に、様々な機能を操作者に紹介することで、画一的な表示となることを防止することができる。
【００１９】
本願の第６の発明は、前記制御部は、前記機能紹介画面によって紹介される機能を、実行回数の少ない順序に基づいて紹介することを特徴としたものである。
【００２０】
本発明の操作装置は、機能紹介画面を表示するときに、実行回数の少ない順とすることで、使用頻度の少ない機能を積極的に操作者に紹介することができる。
【００２１】
本願の第７の発明は、前記制御部は、前記機能紹介画面によって紹介される機能を、記録部にセットされるペーパーカセットの種類に基づいて紹介することを特徴としたものである。
【００２２】
装置環境によっては、機能紹介画面で紹介された機能が不適切な場合がある。従って、本発明の操作装置は、機能紹介画面を表示するときに、装置環境に応じて紹介する機能を選択することで、適切な機能の紹介が可能である。
【００２３】
本願の第８の発明は、前記制御部は、前記機能紹介画面によって紹介される機能を、記録部にセットされるインクカセットの種類に基づいて紹介することを特徴としたものである。
【００２４】
装置環境によっては、機能紹介画面で紹介された機能が不適切な場合がある。従って、本発明の操作装置は、機能紹介画面を表示するときに、装置環境に応じて紹介する機能を選択することで、適切な機能の紹介が可能である。
【００２５】
本願の第９の発明は、前記制御部は、前記機能紹介画面によって紹介される機能に、前記機能に対応する画像を付加した画面を前記表示部に表示させることを特徴としたものである。
【００２６】
機能紹介画面によって紹介される機能の説明を、操作者によって移入されたデータを加工したものとすることで、操作者にとって使用したことのない機能が、具体的にどのような動作をするかを、容易に把握することができる。
【００２７】
本願の第１０の発明は、前記制御部は、前記第１のモードで選択可能である機能であって、本装置に実装されていない機能を紹介する画面を前記表示部に表示させることを特徴としたものである。
【００２８】
本発明の操作装置は、機能紹介画面を表示するときに、まだ実装されていない機能を紹介することで、操作者に新たな機能を追加しようという意欲を湧かせることができる。
【００２９】
本願の第１１の発明は、請求項１記載の操作装置と、外部機器から入力した画像を印刷する印刷部と、を備えた記録装置である。
【００３０】
本願の第１２の発明は、複数の機能が選択可能な第１のモードと前記第１のモードで選択可能な機能の一部を選択可能とする第２のモードとを有し、前記第１のモードが選択された場合前記第１のモードで選択可能な機能を表示し、前記第２のモードが選択された場合前記第２のモードで選択可能な機能を表示し、前記第２のモードから前記第１のモードに移行する場合、前記第１のモードを表示する前に、前記第２のモードでは表示されなかった機能を紹介する機能紹介画面を表示させることを特徴とする操作装置の制御方法である。
【００３１】
本発明の操作装置の表示制御方法は、処理部が、第２モードから第１モードへ状態遷移するときに、第２モードでは除外された機能を紹介する機能紹介画面を、表示出力部へ出力するので、操作者に第２モードにはない機能を使用してみようかという気にさせることができる。従って、第２モードにない機能を第１モードで選択して使用していくうちに、習熟度が向上して複雑な機能も使用することができるようになる。
【００３２】
（実施の形態１）
本発明の実施の形態１に係る操作装置を、プリンタ装置を例に、図面に基づいて説明する。まず、本実施の形態１に係るプリンタシステムの全体の構成を、図１に基づいて説明する。図１は、本発明の実施の形態１に係るプリンタシステムの全体の構成を示す図である。
【００３３】
図１に示すように、プリンタシステム１は、プリンタ装置１０の装置本体１００に、パーソナルコンピュータ（以下、ＰＣと称す。）１１や、デジタルカメラ（以下、ＤＳＣと称す。）１２から、画像データを転送したり、メモリカード１３を装置本体１００に挿入して画像データを直接転送したりして、印刷するシステムである。
【００３４】
また、プリンタ装置１０は、装置本体１００にモニタ装置１４を接続することで、装置本体１００に設けられた液晶表示パネル（以下、ＬＣＤと称す。）１０１に画像データを表示させるだけでなく、ＬＣＤ１０１に表示した画像データと同じ表示画面をモニタ装置１４にも表示させることができる。モニタ装置１４としては、一般的なテレビ受像機が使用できる。テレビ受像機をモニタ装置１４とするときには、装置本体１００のビデオ出力コネクタと、テレビ受像機のビデオ入力コネクタとをケーブルで接続する。また、プリンタ装置１０は、リモコンＲを備え、リモコンＲによって装置本体１００の操作が可能である。
【００３５】
プリンタ装置１０と、ＰＣ１１及びＤＳＣ１２とは、ＵＳＢ（Ｕｎｉｖｅｒｓａｌ  Ｓｅｒｉａｌ  Ｂｕｓ）方式で接続され、モニタ装置１４とはＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式や、ＰＡＬ（Ｐｈａｓｅ  Ａｌｔｅｒｎａｔｉｏｎ  ｂｙ  Ｌｉｎｅ）方式などで接続される。
【００３６】
次に、プリンタ装置１０の構成について、図２から図４に基づいて詳細に説明する。図２は、本発明の実施の形態１に係るプリンタシステムの図１に示すプリンタ装置を示す外観図である。図３は、同プリンタ装置の構成を示すブロック図である。図４は、同制御部の構成を示すブロック図である。
【００３７】
図２に示すように、プリンタ装置１０は、Ｌサイズ（８９ｍｍ×１１９ｍｍ）からハガキサイズ（１０１ｍｍ×１４８ｍｍ）より少し大きいワイドサイズ（１０１ｍｍ×１８０ｍｍ）までの記録紙に印刷することが可能な昇華型プリンタである。装置本体１００に設けられたＬＣＤ１０１は、３．５インチ（約８．９ｃｍ）のものを採用しており、ＬＣＤ１０１の背面側には、発光して視認性を向上させるバックライトを備えている。また、プリンタ装置１０は、動作を指示する操作キー１１０と、プリンタ装置１０の状態を示すランプ１２０が上面に設けられている。
【００３８】
操作キー１１０としては、「電源」キー１１１と、「表示切換」キー１１２と、「メニュー」キー１１３と、十字キー１１４と、「決定」キー１１５と、「戻る」キー１１６と、「プリント」キー１１７とを備えている。
【００３９】
「電源」キー１１１は、装置本体１００の電源投入及び切断を指示するキーである。「表示切換」キー１１２は、ＬＣＤ１０１に表示されている個々の画像データのうちの一つを大きく表示するか、サムネイル表示とするかを切り換えるキーである。「メニュー」キー１１３は、押下することでメニュー表示されるキーである。十字キー１１４は、円形状の上下左右の各部を押下することで、カーソルを移動させて選択を行うキーである。「決定」キー１１５は、十字キー１１４で選択した内容の実行を指示するキーである。「戻る」キー１１６は、前の画面へ戻るように指示するキーである。「プリント」キー１１７は、印刷を指示するキーである。
【００４０】
ランプ１２０としては、「電源」ランプ１２１と、「エラー」ランプ１２２と、「アクセス」ランプ１２３と、「プリント」ランプ１２４とを備えている。
【００４１】
「電源」ランプ１２１は、装置本体１００の電源の投入／切断状態を示したり、待機モード／停止モードを示したりするランプである。「エラー」ランプ１２２は、エラーが発生したときに点灯して操作者に報知するランプである。「アクセス」ランプ１２３は、ＰＣ１１や、ＤＳＣ１２や、メモリカード１３から画像データを転送していることを示すランプである。「プリント」ランプ１２４は、印刷中であることを示すランプである。
【００４２】
図３に示すように、装置本体１００内には、第１画像出力部１０２と、印刷部１０３と、インタフェース部１０４と、メモリカードスロット部１０５と、第２画像出力部１０６と、制御部１０７とが配置されている。
【００４３】
第１画像出力部１０２は、制御部１０７からの表示データを入力して、ＬＣＤインタフェースの信号に変換して、表示部であるＬＣＤ１０１へ出力する表示出力部である。
【００４４】
印刷部１０３は、制御部１０７からの指示により、ペーパーカセットに収納された記録紙に画像データを印刷するために、サーマルヘッド、各種のモータ、ギア群、ローラ群、及びセンサ群などを備えている。印刷部１０３には、印刷される記録紙のサイズに応じた種類のインクカセットを装着するためのスロットが設けられている。このペーパーカセットの種類及びインクカセットの種類は、印刷部１０３から制御部１０７へ通知される。
【００４５】
インタフェース部１０４は、ＰＣ１１及びＤＳＣ１２などと接続するためのインタフェースであり、ＵＳＢポートを備えている。メモリカードスロット部１０５は、メモリカードを装着するスロットである。本実施の形態１では、メモリカードスロット部１０５として、ＳＤメモリカード（登録商標）が装着可能なものを採用しているが、他のメモリカードを装着可能なものとしてもよい。第２画像出力部１０６は、制御部１０７からの表示データを入力して、表示部であるモニタ装置１４へ出力する表示出力部である。第２画像出力部１０６は、モニタ装置１４へ信号を出力するために、接続ケーブルが接続するビデオ出力コネクタが設けられている。制御部１０７からの表示データを、ＮＴＳＣ方式の表示信号に変換してビデオ出力コネクタから出力する。
【００４６】
図４に示すように、制御部１０７は、装置本体１００全体を統括制御するもので、処理部１０７ａと、メモリ部１０７ｂと、タイマー１０７ｃとを備えている。この制御部１０７は、ＣＰＵ（Ｃｅｎｔｒａｌ  Ｐｒｏｃｅｓｓｉｎｇ  Ｕｎｉｔ）と、ＣＰＵを制御する制御回路と、プログラムや各種設定や表示するメッセージなどが格納されたＲＯＭ（Ｒｅａｄ  Ｏｎｌｙ  Ｍｅｍｏｒｙ）と、プログラムの作業領域として使用されるＲＡＭ（Ｒａｎｄｏｍ  Ａｃｃｅｓｓ  Ｍｅｍｏｒｙ）とで実現することができる。つまり、ＲＯＭ及びＲＡＭがメモリ部１０７ｂとして機能し、ＣＰＵがメモリ部１０７ｂであるＲＯＭに格納されたプログラムを実行することとで、印刷などの処理や、表示などの処理を行う処理部１０７ａとして機能する。機能紹介画面に表示されるメッセージは、メモリ部１０７ｂであるＲＯＭに格納されている。
【００４７】
本実施の形態１では、プログラムを格納するＲＯＭとして、容易にアップデートできるようにフラッシュメモリが使用されている。また、格納されるプログラムは、圧縮された状態でフラッシュメモリに格納され、電源投入時の初期動作でＲＡＭ上に展開されてＣＰＵによって実行される。
【００４８】
また、所定時間を計測するタイマー１０７ｃは、プログラムの実行によって計測するソフトタイマーとしたり、ハードウェアで構成したハードタイマーとしたりしてもよい。
【００４９】
以上のように構成される本発明の実施の形態１に係るプリンタ装置の動作について、図面に基づいて説明する。まずは、標準モード及び簡単モードについて、図５及び図６に基づいて説明する。図５は、本発明の実施の形態１に係るプリンタシステムの標準モードの表示画面の一例を示す図である。図６は、同簡単モードの表示画面の一例を示す図である。
【００５０】
処理部１０７ａの動作モードとして、複数の機能が選択可能な標準モード（第１モード）と、標準モードより少ない機能が選択可能な簡単モード（第２モード）とがある。
【００５１】
本実施の形態１では、説明の便宜上、電源投入時には標準モードで立ち上がるものとするが、前回の電源切断時が簡単モードであれば、次回の電源投入後の立ち上がりを簡単モードとすることができる。また、メモリカードスロット部１０５には、ＤＳＣ１２などで撮影した画像データが格納されたメモリカード１３が装着されているものとする。
【００５２】
電源投入することで、処理部１０７ａは、メモリカードスロット部１０５を介してメモリカード１３から画像データを読み込み、第１画像出力部１０２及び第２画像出力部１０６へ表示データとして出力することで、ＬＣＤ１０１及びモニタ装置１４に表示する。このときの表示画像を図５に示す。
【００５３】
図５に示される標準モード一覧表示画面２１は、背景２１１が濃い青色で、メモリカード１３から読み込んだ画像２１２が一覧表示されている。操作者は、標準モード一覧表示画面２１の下段に表示されているように、十字キー１１４を操作してカーソルを移動させることで画像２１２を選択し、「プリント」キー１１７を押下して印刷する。印刷は、選択された画像データを処理部１０７ａが印刷部１０３へ出力することで、印刷部１０３に装着されたペーパーカセットから記録紙を給紙して、選択された画像２１２の印刷が行われる。このときの印刷は、記録紙の全面に画像データを印刷することで、銀塩写真のような標準印刷となる。
【００５４】
標準モード一覧表示画面２１においては、操作者が「メニュー」キー１１３を押下することで、標準モードメニュー表示画面２２が表示される。
【００５５】
標準モードメニュー表示画面２２は、左側に第１階層機能メニュー２２１が表示され、右側に第２階層機能メニュー２２２が表示されている。第１階層機能メニュー２２１は、「いろいろプリント」、「スライドショー」や、「画像検索」などの機能名が表示され、操作者が十字キー１１４の上下部分を押下してカーソルを上下に移動させることで機能を選択する。
【００５６】
第２階層機能メニュー２２２は、カーソルが位置する第１階層機能メニュー２２１の詳細な機能が、吹き出しのように表示される。
【００５７】
第２階層機能メニュー２２２として、カーソルが位置する第１階層機能メニュー２２１の機能が、例えば「いろいろプリント」であれば、「カレンダープリント」、「かざりつけプリント」、「一覧プリント」などが表示される。
【００５８】
操作者は、「いろいろプリント」上にあるカーソルを、十字キー１１４の右部分を押下してカーソルを右（第２階層機能メニュー２２２）に移動させる。そして、十字キー１１４の上下部分を押下してカーソルを上下に移動させることで、「カレンダープリント」、「かざりつけプリント」などの各機能を選択し、「決定」キー１１５を押下することで、カーソルが位置する機能を実行させる。
【００５９】
処理部１０７ａは、選択された各機能の実行に伴い、機能実行画面２３を第１画像出力部１０２及び第２画像出力部１０６へ表示データとして出力することで、ＬＣＤ１０１及びモニタ装置１４に表示する。
【００６０】
標準モードメニュー表示画面２２において、第１階層機能メニュー２２１の各機能を選択するときに、操作者が最下段の「かんたんモードへ」を選択した場合には、処理部１０７ａは、標準モードから簡単モードへ状態を遷移する。
【００６１】
簡単モードは、図６に示されるように、まず、簡単モード一覧表示画面３１から表示される。この簡単モード一覧表示画面３１は、背景３１１が薄い青色で、メモリカード１３から読み込んだ画像２１２が一覧表示されている。この画像２１２は、標準モード一覧表示画面２１で表示された内容と同じである。簡単モード一覧表示画面３１の背景３１１を、標準モード一覧表示画面２１の背景２１１とは異なる色とした薄い青色とすることで、操作者に簡単モードであることを容易に視認させることができる。また、色の識別が困難な操作者に対しては、簡単モード一覧表示画面３１の左上にあるハートマークを象ったアイコン３１２によっても、簡単モードであることを視認させることができる。操作者は、簡単モード一覧表示画面３１の下段に表示されているように、十字キー１１４を操作してカーソルを移動させることで画像２１２を選択し、「プリント」キー１１７を押下して印刷する。このときの印刷は標準印刷である。
【００６２】
簡単モード一覧表示画面３１においては、操作者が「メニュー」キー１１３を押下することで、簡単モードメニュー表示画面３２が表示される。
【００６３】
簡単モードメニュー表示画面３２は、中央に機能メニュー３２１が表示されている。機能メニュー３２１は、「スライドショー」や、「装置設定」などの機能名が表示され、操作者が十字キー１１４の上下部分を押下してカーソルを上下に移動させることで機能を選択する。そして、「決定」キー１１５を押下することで、カーソルが位置する機能を実行させる。標準モードでは、「いろいろプリント」として、「カレンダープリント」や「かざりつけプリント」など標準モードメニュー表示画面２２の第１階層機能メニュー２２１、または第２階層機能メニュー２２２に表示される機能が使用できるが、簡単モードでは除外された機能である。
【００６４】
処理部１０７ａは、選択された各機能の実行に伴い、機能実行画面３４を第１画像出力部１０２及び第２画像出力部１０６へ表示データとして出力することで、ＬＣＤ１０１及びモニタ装置１４に表示する。この機能実行画面３４は、標準モードで実行されたときに表示される機能実行画面２３と同じ場合や、例えば、操作者による詳細な設定などを不要とするために簡略化した画面とすることで異なる場合がある。
【００６５】
簡単モードメニュー表示画面３２において、機能メニュー３２１の各機能を選択するときに、操作者が最下段の「標準モードへ」を選択した場合には、処理部１０７ａは、簡単モードから抜け、機能紹介画面３３を表示して、標準モードへ状態遷移する。
【００６６】
ここで、簡単モードから標準モードへ移行する際に、処理部１０７ａが出力する機能紹介画面３３について、図７から図１３に基づいて詳細に説明する。図７は、本発明の実施の形態１に係るプリンタシステムの機能紹介画面の一例を示す図である。図８は、同表示優先順位変更画面の一例を示す図である。図９は、同機能テーブルの一例を示す図である。図１０は、同プレカット用紙及びプレカット用紙が準備されたときに表示される機能紹介画面の一例を示す図である。図１１は、同カレンダープリントを紹介する機能紹介画面の一例を示す図である。図１２は、拡大機能を紹介する機能紹介画面及び回転機能を紹介する機能紹介画面の一例を示す図である。図１３は、同オプション機能を紹介する機能紹介画面の一例を示す図である。
【００６７】
処理部１０７ａが第１画像出力部１０２及び第２画像出力部１０６へ出力する機能紹介画面３３として、以下の（１）から（７）のような表示方法がある。
【００６８】
（１）機能紹介画面３３を、１画面分ほどメモリ部１０７ｂに格納して、固定的な内容を表示する。例えば、図７（Ａ）に示す機能紹介画面Ａは、「カレンダ作成や、かざりつけプリントなどはメニューから行えます。」というメッセージである。操作者は、簡単モードの機能メニュー３２１（図６参照）では見ることない、「カレンダープリント」や、「かざりつけプリント」が、この機能紹介画面Ａから標準モードであれば使用可能であることが知ることができる。簡単モードから標準モードへ状態遷移するときに、固定的にこの機能紹介画面Ａを表示することで、大きなメモリ容量を必要としない。従って、メモリ部１０７ｂに大容量のメモリ部１０７ｂを準備する必要がない。
【００６９】
（２）機能紹介画面３３として、表示する度に異なる内容とすることも可能である。例えば、最初は図７（Ａ）に示す機能紹介画面Ａを表示して標準モードへ状態遷移した後に、標準モードから簡単モードへ戻り、再度、標準モードへ状態遷移するときに、図７（Ｂ）に示す機能紹介画面Ｂを表示する。また、その次には、図７（Ｃ）に示す機能紹介画面Ｃを表示する。
【００７０】
この表示順序は、予めメモリ部１０７ｂ内に設定された順序に基づいて出力したり、標準モードメニュー表示画面２２で選択可能な「各種設定」や、簡単モードメニュー表示画面３２から選択可能な「装置設定」にて設定された内容に基づいて出力したりすることができる。例えば、図８に示すように、処理部１０７ａは、表示優先順位変更画面３０を出力し、操作者に操作キー１１０を操作させて表示の優先順位を決定させるようにしてもよい。このように、前回とは異なる機能を紹介することで、幅広い機能を操作者に紹介することができるので、操作者に様々な機能を使用してみようとする意欲を湧かせることができる。
【００７１】
（３）機能紹介画面３３にて紹介する機能を、実行回数の少ない順に紹介することも可能である。メモリ部１０７ｂ内に、図９に示すような機能テーブルを設け、処理部１０７ａが、それぞれの機能を実行する度に、実行回数を加算していく。例えば、図９に示す機能テーブルでは、「かざりつけプリント」が最も使用回数が少ないので、機能紹介画面３３で紹介する機能として「かざりつけプリント」を紹介する機能紹介画面Ａ（図７（Ａ）参照）を優先的に表示する。そして機能紹介画面（Ａ）を表示して標準モードへ状態遷移した後に、標準モードから簡単モードへ戻り、再度、標準モードへ状態遷移するときには、次の実行回数の少ない「全画像プリント」を紹介する機能紹介画面Ｂ（図７（Ｂ））を表示する。このように実行回数の少ない順とすることで、使用頻度の少ない機能を積極的に操作者に紹介することができる。
【００７２】
（４）機能紹介画面３３にて紹介する機能を、ランダムに選択された順に紹介することも可能である。処理部１０７ａは、予め機能ごとに番号を割り当てる。そして、処理部１０７ａは、発生させた乱数に対応する番号の機能を、機能紹介画面３３で紹介する。このように、ランダムに選択された順に、様々な機能を操作者に紹介することで、画一的な表示となることを防止することができる。
【００７３】
（５）機能紹介画面３３にて紹介する機能を、装置環境に応じて紹介することも可能である。例えば、印刷部１０３から通知されたペーパーカセットの種類及びインクカセットの種類に応じて機能紹介画面３３を出力する。ペーパーカセットに準備された記録紙が、図１０に示すような４×４の個片４１をシールとして剥離可能なプレカット用紙４０であるときには、図７（Ｃ）に示すような機能紹介画面Ｃや、図１０（Ｂ）に示すような「プリクラのような印刷ができます。」と表示する機能紹介画面Ｄなどを優先的に表示する。また、印刷される面積が小さいＬサイズでは、５×５あるいは５×６の画像を印刷する「一覧プリント」を実行するのは好適ではない。従って、ペーパーカセットに準備された記録紙が、Ｌサイズやハガキサイズであるときには、機能紹介画面Ｃを表示する優先順位を下げるようにする。このように、装置環境に応じて紹介する機能を選択することで、適切な機能の紹介が可能である。
【００７４】
（６）機能紹介画面３３にて紹介する機能の説明として、操作者が、ＰＣ１１、ＤＳＣ１２、またはメモリカード１３から移入した画像データを加工したものを表示するようにしてもよい。例えば、図１１（Ａ）に示すように、機能紹介画面Ｆにて紹介する機能が「カレンダープリント」であれば、「カレンダープリント」の説明文３３ａと共に、移入した画像データを「カレンダープリント」に加工して説明画像３３ｂとして表示する。
【００７５】
図１１（Ｂ）に示すように、機能紹介画面Ｇにて紹介する機能が「かざりつけプリント」であれば、「かざりつけプリント」の説明文３３ｃと共に、移入した画像データを「かざりつけプリント」に加工して説明画像３３ｄとして表示する。
【００７６】
また、図１２（Ａ）に示すように、機能紹介画面Ｈにて紹介する機能が拡大機能や、図１２（Ｂ）に示すように、機能紹介画面Ｊにて紹介する機能が回転機能である場合には、拡大機能や回転機能を紹介する説明文３３ｅ，３３ｆと共に、移入した画像データを、矢印Ｘ（図１２（Ａ）参照）に沿って拡大したり、矢印Ｙ（図１２（Ｂ）参照）に沿って回転したりするように加工して説明動画３３ｇ，３３ｈとして表示する。この場合、図１２（Ａ）を所定時間表示した後に、引き続いて図１２（Ｂ）を表示する。異なる機能紹介画面を連続して表示することで、操作者に与えるインパクトを増大させることができる。
【００７７】
このように、操作者が、自分で撮影した画像データが加工され、サンプルとして表示されることで、使用したことのない機能が、具体的にどのような動作をするかを、容易に把握することができる。また、拡大や回転など、画像データが加工される様子を動画で表示することで、操作者へのアピール度が向上する。
【００７８】
（７）また、機能紹介画面３３として、現在未実装であるオプション機能を紹介するようにしてもよい。例えば、図１３に示すように、別途購入することで実行可能となる年賀状印刷する機能を、オプション機能を紹介する機能紹介画面Ｋとして表示する。この機能紹介画面Ｋは、処理部１０７ａがメモリ部１０７ｂにインストールされている機能の一覧と、インストールされていれば実行可能な機能の一覧とを比較することで、表示することが可能である。このオプション機能は、オプション機能が格納されたメモリカード１３を購入し、購入したメモリカード１３をメモリカードスロット部１０５に装着してインストールすることで提供される。このように、処理部１０７ａが標準モードで処理可能な機能で、かつ未実装の機能を、機能紹介画面Ｅによって紹介することで、操作者に新たな機能を追加しようという意欲を湧かせることができる。
【００７９】
（１）〜（７）の方法にて機能紹介画面３３を表示することで、操作者に簡単モードにはない機能を使用してみようかという気にさせることができる。従って、簡単モードにない機能を標準モードで選択して使用していくうちに、習熟度が向上して複雑な機能も使用することができるようになる。
【００８０】
処理部１０７ａは、機能紹介画面３３を所定時間ほど表示した後に、自動的に標準モード一覧表示画面２１へ切り換えるようにすることができる。この場合、予め設定された表示時間をタイマー１０７ｃで測定し、時間が経過したことを契機に、標準モード一覧表示画面２１とする。所定時間の間のみ機能紹介画面３３を出力することで、操作者は煩わしい操作することなく標準モードへ状態遷移させることができる。
【００８１】
また、自動的に機能紹介画面３３が標準モード一覧表示画面２１へ切り替わるようにする以外に、操作者が操作キー１１０のうちいずれかのキーを操作することを契機に切り替わるようにしてもよい。そうすることで、操作者が操作キー１１０を操作しない限り機能紹介画面３３の出力が継続されるので、機能紹介画面３３を見逃すことを防止し、内容を視認させることができる。
【００８２】
また、操作者が操作キー１１０を操作すれば機能表示画面３３が標準モード一覧表示画面２１へ切り替わるが、操作しなくても所定時間時間が経過することで、切り替わるようにしてもよい。この所定時間は、標準モードメニュー表示画面２２で選択可能な「各種設定」や、簡単モードメニュー表示画面３２から選択可能な「装置設定」にて設定可能とすることができる。
【００８３】
以上、本発明の実施の形態１について説明してきたが、本発明は前記実施の形態に限定されるものではない。例えば、本実施の形態１に係るプリンタ装置１０に音声発生部を設け、処理部１０７ａが機能紹介画面３３を出力すると共に、機能を紹介するメッセージを音声で操作者に知らせるようにしてもよい。
【００８４】
なお、本実施の形態では、簡単モードから標準モードへ状態遷移するときに、機能紹介画面を表示するようにしているが、電源投入時に標準モードで立ち上がるときに機能紹介画面を表示するようにしてもよい。そうすることで、習熟した操作者が、前回、標準モードで使用して電源断した後、操作に不慣れな操作者が使用するときに、簡単モードにはない機能を、標準モードで使用してみようかという気にさせることができる。
【００８５】
また、機能紹介画面を設定によって、表示しないようにすることも可能である。習熟度が向上してくると、簡単モードから標準モードへ状態遷移する度に、機能紹介画面が表示されたのでは、何度も同じ画面を見せられたり、状態遷移に時間を要したりするのは煩わしい。従って、「各種設定」（図５参照）や「装置設定」（図６参照）などで、表示しないようにすることを設定可能とすることで、煩わしくなった機能紹介画面の表示を、非表示とすることができる。
【産業上の利用可能性】
【００８６】
本発明は、便利な機能を有効に活用できるよう、操作者の習熟度を向上させることが可能なので、複数の機能が選択可能な第１モードと第１モードで選択可能な機能から１以上を除外した機能が選択可能な第２モードとのそれぞれで、選択された機能を処理する処理部と、処理部が出力する第１モード及び第２モードに応じた表示画面を、表示部へ出力する表示出力部とを備えた操作装置及びその制御方法に好適である。
【図面の簡単な説明】
【００８７】
【図１】本発明の実施の形態１に係るプリンタシステムの全体の構成を示す図
【図２】本発明の実施の形態１に係るプリンタシステムの図１に示すプリンタ装置を示す外観図
【図３】本発明の実施の形態１に係るプリンタシステムのプリンタ装置の構成を示すブロック図
【図４】本発明の実施の形態１に係るプリンタシステムの制御部の構成を示すブロック図
【図５】本発明の実施の形態１に係るプリンタシステムの標準モードの表示画面の一例を示す図
【図６】本発明の実施の形態１に係るプリンタシステムの簡単モードの表示画面の一例を示す図
【図７】本発明の実施の形態１に係るプリンタシステムの機能紹介画面の一例を示す図
【図８】本発明の実施の形態１に係るプリンタシステムの表示優先順位変更画面の一例を示す図
【図９】本発明の実施の形態１に係るプリンタシステムの機能テーブルの一例を示す図
【図１０】本発明の実施の形態１に係るプリンタシステムのプレカット用紙及びプレカット用紙が準備されたときに表示される機能紹介画面の一例を示す図
【図１１】本発明の実施の形態１に係るプリンタシステムのカレンダープリントを紹介する機能紹介画面の一例を示す図
【図１２】本発明の実施の形態１に係るプリンタシステムの拡大機能を紹介する機能紹介画面及び回転機能を紹介する機能紹介画面の一例を示す図
【図１３】本発明の実施の形態１に係るプリンタシステムのオプション機能を紹介する機能紹介画面の一例を示す図
【符号の説明】
【００８８】
１    プリンタシステム
１０    プリンタ装置
１１    パーソナルコンピュータ（ＰＣ）
１２    デジタルカメラ（ＤＳＣ）
１３    メモリカード
１４    モニタ装置
２１    標準モード一覧表示画面
２２    標準モードメニュー表示画面
２３，３４    機能実行画面
３１    簡単モード一覧表示画面
３２    簡単モードメニュー表示画面
３３，Ａ〜Ｋ    機能紹介画面
３３ａ，３３ｃ，３３ｅ，３３ｆ    説明文
３３ｂ，３３ｄ    説明画像
３３ｇ，３３ｈ    説明動画
４０    プレカット用紙
４１    個片
１００    装置本体
１０１    ＬＣＤ
１０２    第１画像出力部
１０３    印刷部
１０４    インタフェース部
１０５    メモリカードスロット部
１０６    第２画像出力部
１０７    制御部
１０７ａ    処理部
１０７ｂ    メモリ部
１０７ｃ    タイマー
１１０    操作キー
１１１    「電源」キー
１１２    「表示切換」キー
１１３    「メニュー」キー
１１４    十字キー
１１５    「決定」キー
１１６    「戻る」キー
１１７    「プリント」キー
１２０    ランプ
１２１    「電源」ランプ
１２２    「エラー」ランプ
１２３    「アクセス」ランプ
１２４    「プリント」ランプ
２１１    背景
２１２    画像
２２１    第１階層機能メニュー
２２２    第２階層機能メニュー
３１１    背景
３１２    アイコン
３２１    機能メニュー
Ｒ    リモコン
【図１】
2008250814.tif 000003
【図２】
2008250814.tif 000004
【図３】
2008250814.tif 000005
【図４】
2008250814.tif 000006
【図５】
2008250814.tif 000007
【図６】
2008250814.tif 000008
【図７】
2008250814.tif 000009
【図８】
2008250814.tif 000010
【図９】
2008250814.tif 000011
【図１０】
2008250814.tif 000012
【図１１】
2008250814.tif 000013
【図１２】
2008250814.tif 000014
【図１３】
2008250814.tif 000015